(57)【要約】      （修正有）【課題】使用の利便性を向上しながらも、省スペースにて設置可能なティッシュケースＣを提供する。【解決手段】ティッシュペーパＰを収納するためのティッシュケースＣにおいて、前記ティッシュペーパＰを収納するティッシュペーパ収納部２を有するケース本体１と、前記ケース本体１を、車内などに設置されたドリンクホルダＨに保持するケース保持部３とを具備する。【選択図】図２
0003144986.tif 000002
【実用新案登録請求の範囲】
【請求項１】
ティッシュペーパを収納するためのティッシュケースにおいて、
前記ティッシュペーパを収納するティッシュペーパ収納部を有するケース本体と、
前記ケース本体を、車内などに設置されたドリンクホルダに保持するケース保持部とを具備することを特徴とするティッシュケース。
【請求項２】
前記ケース保持部の内方に前記ティッシュペーパ収納部を構成していることを特徴とする請求項１記載のティッシュケース。
【請求項３】
前記ケース本体の形状を、平面視正多角形としていることを特徴とする請求項１又は２何れかに記載のティッシュケース。
【請求項４】
前記ティッシュペーパ収納部に収納する前記ティッシュペーパを乾性とし、
前記ケース本体を紙で構成していることを特徴とする請求項１乃至３何れかに記載のティッシュケース。
【請求項５】
前記ドリンクホルダのドリンク保持部に、前記ケース保持部を嵌合して保持させることを特徴とする請求項１乃至４何れかに記載のティッシュケース。
【請求項６】
前記ケース本体を、高さ方向に沿って略等断面形状とし、当該ケース本体の下部を前記ドリンクホルダのドリンク保持部に嵌合して保持させることを特徴とする請求項５記載のティッシュケース。
【請求項７】
前記ティッシュペーパを、一枚ずつ分離した状態で取り出し可能に収納していることを特徴とする請求項１乃至６何れかに記載のティッシュケース。
【請求項８】
前記ケース本体を、縦長の筒状に構成していることを特徴とする請求項１乃至７何れかに記載のティッシュケース。  
【請求項９】
前記ケース本体の底面部が、ドリンクホルダ部の底面などに接触することを防止する接触防止部を設けていることを特徴とする請求項１乃至８何れかに記載のティッシュケース。
【考案の詳細な説明】
【技術分野】
【０００１】
本考案は、車内などで好適に利用可能なティッシュケースに関するものである。
【背景技術】
【０００２】
従来、ティッシュペーパを収納したティッシュケースは、安定性などを考慮して横長の長方形状を有するものが多かった。また、車内などに持ち込む際には、座席の上などにおいて置いていた。
（例えば、特許文献１を参照）。
【特許文献１】特開平７−２５７６６７
【考案の開示】
【考案が解決しようとする課題】
【０００３】
しかし、例えば、車内などの狭い空間では当該ティッシュケースは場所を取るため邪魔である。また、座席の上などに置いておくと、走行中に座席下に落下してしまい、使用したいときに見当たらないという不具合があった。一方、当該ティッシュケースを一定の場所に固定しておくためには、ティッシュケースの形状に合わせた専用のケースなどを設けなければならなかった。
【課題を解決するための手段】
【０００４】
そこで、本考案は、ティッシュペーパを収納するためのティッシュケースにおいて、前記ティッシュペーパを収納するティッシュペーパ収納部を有するケース本体と、前記ケース本体を、車内などに設置されたドリンクホルダに保持するケース保持部とを具備することを特徴とする。
【０００５】
これにより、車内などにおいても省スペースにて好適にティッシュペーパを置いておくことができる。更に、ティッシュペーパケースを定位置に設置することが可能となるため、車の走行中などに所在不明になることがなくなり利便性を向上することができる。
【０００６】
更に、前記ケース保持部の内方に前記ティッシュペーパ収納部を構成することにより、全体をコンパクトに設計しながらもティッシュペーパの収納量を確保することができる。
【０００７】
また、前記ケース本体の形状を、平面視正多角形としていることにより、複数個のティッシュケースを段ボール箱などの運搬箱に詰めて運搬する際に、各々のティッシュケースの間に無駄なスペースを生ずることなく運搬することが可能となる。
【０００８】
更に、簡易に製造するためには、前記ティッシュペーパ収納部に収納する前記ティッシュペーパを乾性とし、前記ケース本体を紙で構成することが望ましい。
【０００９】
加えて、前記ドリンクホルダのドリンク保持部に、前記ケース保持部を嵌合して保持させることにより、簡易な構成にてケース保持部を形成することができる。
【００１０】
更に、前記ケース本体を、高さ方向に沿って略等断面形状とし、当該ケース本体の下部を前記ドリンクホルダのドリンク保持部に嵌合して保持させることにより、ドリンク保持部の長短に関わらず、ケース保持部を好適に嵌合することが可能となる。
【００１１】
また、運転している際などにもティッシュペーパを取出しやすいように、前記ティッシュペーパを、一枚ずつ分離した状態で取り出し可能に収納することが望ましい。
【００１２】
加えて、設置場所を取らず、且つティッシュペーパ収納部を広く確保するためには、前記ケース本体を縦長の筒状に構成することが考えられる。
【００１３】
また、前記ケース本体の底面部が、ドリンクホルダ部の底面などに接触することを防止する接触防止部を設けていることで、前記ケース本体の底面部が損傷しティッシュペーパ収納部内のティッシュペーパが汚れることを防ぐことができる。更に、ケース本体の底面部がドリンク保持部の底面などから浮いているため、ティッシュペーパ収納部内のティッシュペーパが湿ることを防止することが可能となる。
【考案の効果】
【００１４】
車内などにおいても省スペースにて好適にティッシュペーパを置いておくことができる。更に、ティッシュペーパケースを定位置に設置することが可能となるため、車の走行中などに所在不明になることがなくなり利便性を向上することができる。
【考案を実施するための最良の形態】
【００１５】
本考案に係るティッシュケースＣは、例えば、車内などに設置されているドリンクホルダＨを利用して、車内にティッシュケースＣを好適に設置可能としているものである。  図１は、本実施形態のティッシュケースＣをドリンクホルダＨに嵌合する工程を示す斜視図である。図２は、本実施形態のティッシュケースＣを示す斜視図である。
【００１６】
本実施形態においては、図１に示すように、ティッシュペーパＰを収納するためのティッシュケースＣにおいて、前記ティッシュペーパＰを収納するティッシュペーパ収納部２を有するケース本体１と、前記ケース本体１を、車内などに設置されたドリンクホルダＨに保持するケース保持部３と、前記ティッシュペーパ収納部２に収納したティッシュペーパＰを取り出すためのティッシュペーパ取出部４とを具備している。
【００１７】
以下、各構成について詳述する。
【００１８】
ケース本体１は、ボール紙などの紙製の基材Ｂを折り曲げるなどして形成した縦長の筒状筐体であり、その内方にティッシュペーパ収納部２となる収納空間を形成している。本実施形態においては、図５に示すように、ケース本体１の平面視形状を正六角形とし、高さ方向に沿って等断面形状を成すように構成している。尚、当該ケース本体１は、通常のドリンク缶と略同寸の外形寸法（縦、横、高さ、胴回り）を有している。
【００１９】
詳述すると、当該ケース本体１は、上方を蓋閉する蓋面部１１と、当該蓋面部１１から垂下する周面部１２と、当該周面部１２の下方を覆う底面部１３とを具備している。更に、本実施形態においては、前記底面部１３や前記蓋面部１１を保護するために、底面接触防止部１４及び蓋面接触防止部１５を具備している。
【００２０】
前記底面部１３を保護する底面接触防止部１４は、前記周面部１２を延設して前記底面部１３の周端から垂下させた垂下壁であり、前記底面部１３よりも下方に向って突出している。よって、ケース本体１を起立させた際には、前記底面部１３が床面やドリンク保持部Ｈ１の底面などに接触することを防止した状態で、当該底面接触防止部１４にてケース本体１を支持する。尚、当該底面接触防止部１４の下端を水平に揃えているため、当該ケース本体１を安定して自立可能としている。
前記蓋面部１１を保護する蓋面接触防止部１５は、前記周面部１２を延設して前記蓋面部１１の周端から起立させた起立壁であり、前記蓋面部１１よりも上方に向って突出している。よって、ケース本体１の上に物が衝突した際には、当該蓋面接触防止部１５にて蓋面部１１への接触を防止して保護する。
【００２１】
ティッシュペーパ収納部２は、図２に示すように、その内部に乾性のティッシュペーパＰを一枚ずつ分離した状態で取り出し可能に収納している。本実施形態においては、一枚ずつ折り畳んだ複数枚のティッシュペーパＰを重合して詰めている。当該ティッシュペーパ収納部２は、前記ケース本体１の蓋面部１１の下面から底面部１３の上面まで、前記ケース本体１の高さ寸法と略等しい高さに形成しており、ケース本体１の内部空間を有効利用している。
【００２２】
ケース保持部３は、前記ケース本体１の下方に形成した嵌合部であり、前記ドリンクホルダＨのドリンク保持部Ｈ１に、当該ケース保持部３を嵌合してケース本体１を保持する。具体的には、ドリンクホルダＨのドリンク保持部Ｈ１の内形寸法と略同寸の外形寸法（胴回り寸法）を有するケース本体１の下部を、ドリンクホルダＨのドリンク保持部Ｈ１に着脱可能に嵌合して保持する。また、当該ケース保持部３の内方は空洞であるため、当該ケース保持部３の内方にも前記ティッシュペーパ収納部２を形成している。
【００２３】
ティッシュペーパ取出部４は、前記ケース本体１の蓋面部１１に開口した平面視円形の開口部であり、前記ティッシュペーパ収納部２からティッシュペーパＰを一枚ずつ上方に向って取出し可能としている。
【００２４】
本実施形態においては、ティッシュペーパ取出部４を形成する箇所に前記蓋面部１１に対して切取線４１，４２を入れておき、蓋面部１１の一部を取り除いて当該ティッシュペーパ取出部４を形成可能としている。これにより、ティッシュペーパＰを使用するまでは当該ティッシュペーパ取出部４を閉塞しておき、ティッシュペーパ収納部２内に埃や湿気などが混入することを防いでいる。具体的には、前記蓋面部１１の中央部に位置する円形のティッシュペーパ取出部用切取線４１と、当該ティッシュペーパ取出部用切取線４１に沿ってティッシュペーパ取出部４を開口する際に利用する補助口を開口するための補助口用切取線４２とを設けている。尚、当該補助口は、ティッシュペーパ取出部４の内側に開口するように設けている。ティッシュペーパ取出部４を開口する際には、まず、補助口用切取線４２に沿って補助口を開口した後、当該補助口からティッシュペーパ取出部用切取線４１に沿ってティッシュペーパ取出部４を開口する。
【００２５】
次に、当該ティッシュケースＣの製造方法について説明する。
【００２６】
まず、図８乃至図１０に示すように、紙製の原反から前記蓋面部１１を形成する蓋面基材Ｂ１、前記周面部１２を形成する周面基材Ｂ２、前記底面部１３を形成する底面基材Ｂ３を切り出す。蓋面基材Ｂ１と底面基材Ｂ３は、同様の外形を有しており、その周囲には周面部１２に沿って折曲して接着する糊代Ｂ３１を形成するための切り込みを設ける。尚、蓋面基材Ｂ１には、前記切取線４１，４２を入れておく。
【００２７】
前記周面基材Ｂ２を正六角形に折り込み、側端を重合して接着した後、底面基材Ｂ３の糊代Ｂ３１を下方に向って直角に折り込み、前記周面基材Ｂ２の下端に接着して底面を閉塞する。ここで、糊代Ｂ３１となった底面基材Ｂ３と周面基材Ｂ２との重合部が、前記底面接触防止部１４を形成することとなる。
【００２８】
ティッシュペーパ収納部２にティッシュペーパＰを収納した後、前記底面基材Ｂ３と同様に、蓋面基材Ｂ１の糊代Ｂ１１を上方に向って直角に折り込み、周面基材Ｂ２の上端に接着して天面を閉塞する。ここで、糊代Ｂ１１となった蓋面基材Ｂ１と周面基材Ｂ２との重合部が、前記蓋面接触防止部１５を形成することとなる。
【００２９】
以上のように、ティッシュペーパＰを収納するためのティッシュケースＣを、前記ティッシュペーパＰを収納するティッシュペーパ収納部２を有するケース本体１と、前記ケース本体１を、車内などに設置されたドリンクホルダＨに保持するケース保持部３とを具備する構成とすることにより、車内などにおいても省スペースにて好適にティッシュペーパＰを置いておくことができる。更に、ティッシュケースＣを定位置に設置することが可能となるため、車の走行中などに所在不明になることがなくなり利便性を向上することができる。
【００３０】
更に、前記ケース保持部３の内方に前記ティッシュペーパ収納部２を構成することにより、全体をコンパクトに設計しながらもティッシュペーパＰの収納量を確保することができる。
【００３１】
また、前記ケース本体１の形状を、平面視正多角形としていることにより、図１２に示すように、複数個のティッシュケースＣを段ボール箱などの運搬箱に詰めて運搬する際に、各々のティッシュケースＣの間に無駄なスペースを生ずることなく運搬することが可能となる。
【００３２】
更に、前記ティッシュペーパ収納部２に収納する前記ティッシュペーパＰを乾性とし、前記ケース本体１を紙で構成していることで、簡易に製造することが可能となる。
【００３３】
加えて、前記ドリンクホルダＨのドリンク保持部Ｈ１に、前記ケース保持部３を嵌合して保持させることにより、簡易な構成にてケース保持部３を形成することができる。
【００３４】
更に、前記ケース本体１を、高さ方向に沿って略等断面形状とし、当該ケース本体１の下部を前記ドリンクホルダＨのドリンク保持部Ｈ１に嵌合して保持させること、ドリンク保持部Ｈ１の長短に関わらず、ケース保持部３を好適に嵌合することが可能となる。
【００３５】
また、前記ティッシュペーパＰを、一枚ずつ分離した状態で取り出し可能に収納することで、運転している際などにもティッシュペーパＰを取出しやすい。
【００３６】
加えて、前記ケース本体１を縦長の筒状に構成することにより、設置場所を取らず、且つティッシュペーパ収納部２を広く確保することができる。
【００３７】
また、前記ケース本体１の底面部１３が、ドリンク保持部Ｈ１の底面などに接触することを防止する接触防止部を設けていることで、前記ケース本体１の底面部１３が損傷しティッシュペーパ収納部２内のティッシュペーパＰが汚れることを防ぐことができる。更に、底面部１３がドリンク保持部Ｈ１の底面などから浮いているため、ティッシュペーパ収納部２内のティッシュペーパＰが湿ることを防止することが可能となる。
【００３８】
なお、本考案は、以上に詳述した実施形態に限られるものではない。
【００３９】
例えば、本実施形態においては、平面視正六角形となる平面視正多角形の形状としているが他の形状でもよい。具体的には、図１３乃至図１６に示すように、平面視正円の円筒形状とすることも考えられる。平面視形状以外は、前記実施形態と同じ構成を有している。尚、前記実施形態と同じ構成については、同じ符号を付している。
【００４０】
更に、材質も紙に限定されずプラスティックなどの素材を利用してもよい。
【００４１】
また、本実施形態においては、ティッシュペーパ収納部２とケース保持部３とを等断面形状としているが、ケース保持部３よりもティッシュペーパ収納部２を大なるものとして、収納量を増すことも考えられる。
【００４２】
加えて、本実施形態においては、使用時においてティッシュペーパ取出部４を開口した状態としているが、開閉式の蓋などを設けてもよい。
【００４３】
更に、ケース本体１にドリンクホルダＨに引っ掛けるフックなどを取り付けてケース保持部３を構成してもよい。
【００４４】
その他、各部の具体的構成についても上記実施形態に限られるものではなく、本考案の趣旨を逸脱しない範囲で種々変形が可能である。
【図面の簡単な説明】
【００４５】
【図１】本考案の実施形態に係るティッシュケースＣをドリンクホルダＨに嵌合する工程を示す斜視図。
【図２】同実施形態にティッシュケースＣをドリンクホルダＨに保持させた状態を示す斜視図。
【図３】同実施形態に係るティッシュケースＣの斜視図。
【図４】同実施形態に係るティッシュケースＣを底面部１３側から見た状態を示す斜視図。
【図５】同実施形態に係るティッシュケースＣを示す平面図。
【図６】同実施形態に係るティッシュケースＣを示す底面図。
【図７】同実施形態に係るティッシュケースＣを示す側面図。
【図８】同実施形態に係るティッシュケースＣの側面基材Ｂ２。
【図９】同実施形態に係るティッシュケースＣの蓋面基材Ｂ１。
【図１０】同実施形態に係るティッシュケースＣの底面基材Ｂ３。
【図１１】同実施形態にティッシュケースＣをドリンクホルダＨに保持させた状態を示す平面図。
【図１２】同実施形態に係るティッシュケースＣを段ボールＢに詰めた状態示す平面図。
【図１３】他の実施形態に係るティッシュケースＣ１をドリンクホルダＨに嵌合する工程を示す斜視図。
【図１４】他の実施形態に係るティッシュケースＣ１の斜視図。
【図１５】他の実施形態にティッシュケースＣ１をドリンクホルダＨに保持させた状態を示す平面図。
【図１６】他の実施形態に係るティッシュケースＣ１の蓋面基材Ｂ１。
【符号の説明】
【００４６】
Ｃ・・・ティッシュケース
Ｃ１・・・ティッシュケース
Ｈ・・・ドリンクホルダ
Ｐ・・・ティッシュペーパ
Ｈ１・・・ドリンク保持部
１・・・ケース本体
２・・・ティッシュペーパ収納部
３・・・ケース保持部
１３・・・底面部
４１・・・接触防止部（底面接触防止部）
【図１】
0003144986.tif 000003
【図２】
0003144986.tif 000004
【図３】
0003144986.tif 000005
【図４】
0003144986.tif 000006
【図５】
0003144986.tif 000007
【図６】
0003144986.tif 000008
【図７】
0003144986.tif 000009
【図８】
0003144986.tif 000010
【図９】
0003144986.tif 000011
【図１０】
0003144986.tif 000012
【図１１】
0003144986.tif 000013
【図１２】
0003144986.tif 000014
【図１３】
0003144986.tif 000015
【図１４】
0003144986.tif 000016
【図１５】
0003144986.tif 000017
【図１６】
0003144986.tif 000018